(57)【要約】【課題】  使用者が必要とする情報を明瞭に提示する情報認識装置等を提供する。【解決手段】  情報認識装置は、画像に含まれる少なくとも一つの所定の領域を抽出する抽出手段と、使用者の動作に関する情報に基づいて、少なくとも一つの所定の領域のうち、使用者に着目されている領域を特定する特定手段と、特定部にて特定された所定の領域に含まれる情報を認識する認識手段とを備える。【選択図】      図１
2016184089.tif 000002
【特許請求の範囲】
【請求項１】
画像に含まれる少なくとも一つの所定の領域を抽出する抽出手段と、
使用者の動作に関する情報に基づいて、前記少なくとも一つの所定の領域のうち、前記使用者に着目されている領域を特定する特定手段と、
前記特定手段にて特定された前記所定の領域に含まれる情報を認識する認識手段とを備える、情報認識装置。
【請求項２】
前記抽出手段は、予め定めら得た色に基づいて、前記少なくとも一つの所定の領域を抽出する、請求項１に記載の情報認識装置。
【請求項３】
前記抽出手段は、予め定められた形状に基づいて、前記少なくとも一つの所定の領域を抽出する、請求項１又は２に記載の情報認識装置。
【請求項４】
前記特定手段は、前記使用者が前記少なくとも一つの所定の領域を指し示す動作に関する情報に基づいて、前記使用者に着目されている領域を特定する、請求項１から３のいずれか一項に記載の情報認識装置。
【請求項５】
前記特定手段は、前記使用者が歩行しているか否かを示す動作に関する情報に基づいて、前記使用者に着目されている領域を特定する、請求項１から４のいずれか一項に記載の情報認識装置。
【請求項６】
前記特定手段にて特定された前記少なくとも一つの所定の領域について、前記画像に関する調整を行う調整手段を備える、請求項１から５のいずれか一項に記載の情報認識装置。
【請求項７】
請求項１から６のいずれか一項に記載の情報認識装置と、
前記画像を撮像する撮像手段と、
前記使用者の動作を検知する検知手段と、
前記情報認識装置が備える前記抽出手段にて抽出された前記少なくとも一つの所定の領域に関する情報と、前記情報認識装置が備える前記認識手段にて認識された情報とを少なくとも出力する出力手段とを備える、ナビゲーションシステム。
【請求項８】
前記情報認識装置の前記調整手段は、前記撮像手段の動作を制御して前記画像に関する調整を行う、請求項７に記載のナビゲーションシステム。
【請求項９】
画像に含まれる少なくとも一つの所定の領域を抽出し、
使用者の動作に関する情報に基づいて、前記少なくとも一つの所定の領域のうち、前記使用者に着目されている領域を特定し、
特定された前記所定の領域に含まれる情報を認識する、情報認識方法。
【請求項１０】
コンピュータに、
画像に含まれる少なくとも一つの所定の領域を抽出する処理と、
使用者の動作に関する情報に基づいて、前記少なくとも一つの所定の領域のうち、前記使用者に着目されている領域を特定する処理と、
前記特定手段にて特定された前記所定の領域に含まれる情報を認識する処理とを実行させる、プログラム。
【発明の詳細な説明】
【技術分野】
【０００１】
本発明は、情報認識装置、ナビゲーションシステム、ナビゲーション方法及びプログラムに関する。
【背景技術】
【０００２】
視覚障害者等が移動する際には、周囲の状況を把握できるように、何らかの補助となる装置等が必要となる場合がある。この場合の装置等の一例として、撮像装置等にて周囲の状況を撮像し、撮像された画像に含まれる文字、物体、人物等を認識して、当該視覚障害者に認識した情報を提供する装置が考えられる。
【０００３】
特許文献１には、視覚障害者用歩行支援システム等に関する技術が記載されている。特許文献１に記載の視覚障害者用歩行支援システムは、視覚障害者にとって現在位置に関する情報や行先に関する情報を把握可能な文字情報を、ステレオ画像取込器によって撮像されたステレオ画像から抽出する。そして、特許文献１に記載の視覚障害者用歩行支援システムは、その文字情報から得られる意味内容を情報伝達器が音声情報または触覚情報によって発する。
【０００４】
特許文献２には、空間情報聴覚化装置に関する技術が記載されている。特許文献２に記載の空間情報聴覚化装置は、撮像装置の画像データに基づいて、少なくとも予め決められた三次元空間内に存在するものの三次元座標データを取得する空間情報取込手段を備える。また、特許文献２に記載の空間情報聴覚化装置は、この三次元座標データに基づいて、物を認識する空間情報認識手段と、空間情報認識手段の認識結果に基づいて、物に関する立体音響を出力する立体音響出力手段とを有する。
【０００５】
特許文献３には、注視対象物推定装置に関する技術が記載されている。特許文献３に記載の注視対象物推定装置は、データ取得部により、ある時刻の画像、車両位置、視線を取得し、注視位置判定部により注視位置を判定し、対象物検出部で画像から看板を示す対象物領域を検出する。また、特許文献３に記載の注視対象物推定装置は、遡及範囲決定部で遡及範囲を決定し、対処物領域追跡部で、遡及範囲の各時刻に撮影された画像から対象物領域を追跡する。そして、特許文献３に記載の注視対象物推定装置は、追跡位置・注視位置比較部で、追跡された対象物領域のある時刻における位置と当該時刻における注視位置とを比較して、搭乗者が看板を注視していたか否かを判定する。
【先行技術文献】
【特許文献】
【０００６】
【特許文献１】特開２００１−３１８５９４号公報
【特許文献２】特開２００３−２３６９９号公報
【特許文献３】特開２０１３−２００８３７号公報
【発明の概要】
【発明が解決しようとする課題】
【０００７】
上述した特許文献に記載された技術では、画像データ等に多数の情報が含まれる場合に、いずれを認識対象とするかに関して言及がなされていない。しかしながら、上述した特許文献に記載された技術を用いた装置等の使用者にとって、画像データ等に含まれる情報の全てを認識する必要がない場合がある。すなわち、上述した各特許文献に記載された技術では、これらの技術の使用者が実際に必要とする情報を提示することについて、必ずしも考慮がなされていない。
【０００８】
本発明は、上記課題を解決するためになされたものであって、使用者が必要とする情報を提示する情報認識装置等を提供することを主たる目的とする。
【課題を解決するための手段】
【０００９】
本発明の一態様における情報認識装置は、画像に含まれる少なくとも一つの所定の領域を抽出する抽出手段と、使用者の動作に関する情報に基づいて、少なくとも一つの所定の領域のうち、使用者に着目されている領域を特定する特定手段と、特定部にて特定された所定の領域に含まれる情報を認識する認識手段とを備える。
【００１０】
また、本発明の一態様におけるナビゲーションシステムは、上述の情報認識装置と、画像を撮像する撮像手段と、使用者の動作を検知する検知手段と、情報認識装置が備える抽出手段にて抽出された少なくとも一つの所定の領域に関する情報と、情報認識装置が備える認識部にて認識された情報とを少なくとも出力する出力手段とを備える。
【００１１】
また、本発明の一態様における情報認識方法は、画像に含まれる少なくとも一つの所定の領域を抽出し、使用者の動作に関する情報に基づいて、少なくとも一つの所定の領域のうち、使用者に着目されている領域を特定し、特定された所定の領域に含まれる情報を認識する。
【００１２】
また、本発明の一態様におけるプログラムは、コンピュータに、画像に含まれる少なくとも一つの所定の領域を抽出する処理と、使用者の動作に関する情報に基づいて、少なくとも一つの所定の領域のうち、使用者に着目されている領域を特定する処理と、特定手段にて特定された所定の領域に含まれる情報を認識する処理とを実行させる。
【発明の効果】
【００１３】
本発明によると、利用者が必要とする情報を明瞭に提示する情報認識装置等を提供することができる。
【図面の簡単な説明】
【００１４】
【図１】本発明の第１の実施形態における情報認識装置の構成を示す図である。
【図２】本発明の第１の実施形態における情報認識装置を有するナビゲーションシステムの構成を示す図である。
【図３】本発明の第１の実施形態における情報認識装置において抽出及び認識される情報等を示す図である。
【図４】本発明の第１の実施形態における情報認識装置の動作の一例を示すフローチャートである。
【図５】本発明の第１の実施形態の変形例における情報認識装置の構成を示す図である。
【図６】本発明の第２の実施形態における情報認識装置の構成を示す図である。
【図７】本発明の各実施形態における情報認識装置を実現する情報処理装置の一構成例を示す図である。
【発明を実施するための形態】
【００１５】
本発明の各実施形態について、添付の図面を参照して説明する。なお、本発明の実施形態において、各装置の各構成要素は、機能単位のブロックを示している。各装置の各構成要素は、例えば図７に示すような情報処理装置５００とソフトウェアとの任意の組み合わせにより実現することができる。情報処理装置５００は、一例として、以下のような構成を含む。
【００１６】
・ＣＰＵ（Ｃｅｎｔｒａｌ  Ｐｒｏｃｅｓｓｉｎｇ  Ｕｎｉｔ）５０１
・ＲＯＭ（Ｒｅａｄ  Ｏｎｌｙ  Ｍｅｍｏｒｙ）５０２
・ＲＡＭ（Ｒａｍｄｏｍ  Ａｃｃｅｓｓ  Ｍｅｍｏｒｙ）５０３
・ＲＡＭ５０３にロードされるプログラム５０４
・プログラム５０４を格納する記憶装置５０５
・記録媒体５０６の読み書きを行うドライブ装置５０７
・ネットワーク５０９と接続する通信インターフェース５０８
・データの入出力を行う入出力インターフェース５１０
・各構成要素を接続するバス５１１
各装置の実現方法には様々な変形例がある。例えば、各装置は、専用の装置として実現することができる。また、各装置は、複数の装置の組み合わせにより実現することができる。
（第１の実施形態）
まず、本発明の第１の実施形態について説明する。図１は、本発明の第１の実施形態における情報認識装置の構成を示す図である。図２は、本発明の第１の実施形態における情報認識装置を有するナビゲーションシステムの構成を示す図である。図３は、本発明の第１の実施形態における情報認識装置において抽出及び認識される情報等を示す図である。図４は、本発明の第１の実施形態における情報認識装置の動作の一例を示すフローチャートである。図５は、本発明の第1の変形例における情報認識装置の構成を示す図である。
【００１７】
図１に示すとおり、本発明の第１の実施形態における情報認識装置１００は、抽出部１１０と、特定部１２０と、認識部１３０とを備える。抽出部１１０は、画像に含まれる少なくとも一つの所定の領域を抽出する。特定部１２０は、使用者の動作に関する情報に基づいて、少なくとも一つの所定の領域のうち、使用者に着目されている領域を特定する。認識部１３０は、特定部１２０にて特定された所定の領域に含まれる情報を認識する。
【００１８】
また、本実施形態における情報認識装置１００を含むナビゲーションシステム１０が構成される。図２に示すとおり、ナビゲーションシステム１０は、情報認識装置１００と、撮像部１１と、検知部１２と、出力部１３とを有する。情報認識装置１００は、上述した情報認識装置１００又はその変形例等である。撮像部１１は、画像を撮像する。検知部１２は、使用者の動作を検知する。出力部１３は、情報認識装置１００が備える抽出部１１０にて抽出された少なくとも一つの所定の領域に関する情報と、情報認識装置１００が備える認識部にて認識された情報とを少なくとも出力する。
【００１９】
この情報認識装置１００を有するナビゲーションシステム１０は、一例として、全盲者を含む視覚障害者が移動する場合等に用いられる。すなわち、ナビゲーションシステム１０の使用者は、例えば自身が移動する場合等において、このナビゲーションシステム１０を、当該使用者の周囲にある看板や標識（以下「看板等」とする）に記載されている文字や、物体、人物等を認識する際に用いる。
【００２０】
本発明の各実施形態において、使用者とは、当該情報認識装置１００を使用する者である。また、使用者は、上述したナビゲーションシステム１０等の情報認識装置１００を備える任意の装置やシステムを使用する者であってもよい。以下、情報認識装置１００及びナビゲーションシステム１０等の情報認識装置１００を備える任意の装置やシステムをまとめて「情報認識装置１００等」と称する。
【００２１】
なお、本発明の各実施形態における情報認識装置１００等の使用者は、視覚障害者であることが想定されているが、視覚障害者には限られない。
【００２２】
続いて、図１を用いて、本発明の第１の実施形態における情報認識装置１００の各構成要素について説明する。
【００２３】
抽出部１１０は、上述のように、画像に含まれる少なくとも一つの所定の領域を抽出する。抽出部１１０は、例えば、ナビゲーションシステム１０が有する撮像部１１にて撮像された画像を用いる。ただし、抽出部１１０は、その他の任意の手段で得られた画像を用いてもよい。所定の領域は、例えば情報認識装置１００等の使用者の意図等に基づいて、後述する認識部１３０において、その領域に含まれる情報の認識が行われる対象の候補となる領域である。
【００２４】
抽出部１１０は、予め定められた任意の条件に基づいて、画像に含まれる上述した所定の領域を抽出する。すなわち、抽出部１１０は、予め定められた形状や色を含む種々の条件に合致する領域を、所定の領域として抽出する。抽出部１１０にて用いられる条件は、後述する認識部１３０にて認識が行われる対象等に応じて定められる。
【００２５】
より詳しくは、認識部１３０が看板等に書かれた文字を認識する場合には、看板等又は看板等に描かれた模様等の形状、看板等又は看板等に書かれた文字や模様の色等が条件として用いられる。すなわち、この場合に抽出部１１０は、画像におけるこれらの条件を満たす一つ以上の所定の領域を抽出する。なお、抽出部１１０において用いられる条件は、これ以外の条件を用いて所定の領域を抽出してもよい。
【００２６】
抽出部１１０は、所定の領域を抽出した場合に、当該所定の領域の内容（つまり、その領域に書かれた文字の内容等）に関する認識は行わなくてもよい。すなわち、抽出部１１０は、画像における予め定められた任意の条件を満たすような領域の有無のみを分析して、このような所定の領域を抽出してもよい。このようにすることで、抽出部１１０にて必要とされる処理を少なくすることが可能となる。
【００２７】
抽出部１１０にて抽出された結果は、例えば情報認識装置１００等の使用者における視覚障害の程度等に応じた態様にて適宜出力部１３等に出力される。認識された結果として出力される内容は後述する。
【００２８】
図３（Ａ）は、抽出部１１０にて用いられる画像の一例である。図３（Ａ）に示す例では、文字が書かれた看板等が含まれている。抽出部１１０は、例えば、この看板のうち、色や形状などの条件等に基づいて、これらの条件を満たす看板を所定の領域として抽出する。
【００２９】
抽出部１１０にて抽出された結果は、例えば図３（Ｂ）のように表される。この結果は、後述するナビゲーションシステム１０が有する出力部１３等を介して出力される。図３（Ｂ）に示す例では、図３（Ａ）に示す画像に含まれる看板のうち、抽出部１１０にて抽出された看板の位置に応じて、当該看板が存在することを示す印が付されている。図３（Ｂ）に示す例では、図３（Ａ）に含まれる「松山」及び「愛媛」と書かれた看板が所定の領域として抽出されている。すなわち、図３（Ｂ）に示す例では、図３（Ａ）における「松山」及び「愛媛」と書かれた看板の位置に応じて２か所に印が付されている。
【００３０】
なお、抽出部１１０において所定の領域を抽出するための手法としては、任意の画像認識の手法が用いられる。また、この場合に用いられる画像は、後に認識部１３０において情報の認識が行われる候補となる領域が多く含まれるよう、相対的に広い画角にて撮像された画像が用いられることが好ましい。
【００３１】
特定部１２０は、抽出部１１０にて抽出された少なくとも一つの所定の領域のうち、使用者に着目されている領域を特定する。この場合に、特定部１２０は、使用者の動作に関する情報に基づいて、使用者に着目されている領域を特定する。使用者の動作に関する情報は、例えば、ナビゲーションシステム１０が有する検知部１２にて検知される。ただし、特定部１２０は、使用者の動作に関する情報を任意の方法で検知することができる。
【００３２】
特定部１２０は、使用者が所定の領域のいずれかを着目しているか否か、及び使用者が所定の領域のいずれかを着目している場合に、所定の領域のいずれを着目しているか否か等を判断して、使用者に着目されている所定の領域を特定する。
【００３３】
これらの判断を行うために、特定部１２０は、例えば、ナビゲーションシステム１０が有する検知部１２からの情報を用いて、使用者が歩行しながら情報認識装置１００等を使用している場合に、歩行を停止したこと検出をする。このようにして、特定部１２０は、使用者が所定の領域のいずれかを着目していることを特定する。
【００３４】
また、ナビゲーションシステム１０が有する出力部１３がタッチパネル等の検知部１２を備える場合には、特定部１２０は、出力部１３にて出力された情報のいずれを指し示すかを検知部１２にて検出してもよい。すなわち、出力部１３にて、図３（Ｂ）のように情報が表されている場合、特定部１２０は、使用者が図３（Ｂ）に示す２か所の印のどちらかを指し示すかを検知部１２にて検知して、使用者に着目されている所定の領域を特定してもよい。
【００３５】
更に、特定部１２０は、使用者が、ナビゲーションシステム１０に備えられている撮像部１１を抽出部１１０にて抽出された少なくとも一つの所定の領域のいずれかに対応する方向に向けているかを検出してもよい。同様に、特定部１２０は、ナビゲーションシステム１０が備える出力部１２等に抽出された少なくとも所定の領域に関する情報が出力されている場合に、使用者がその情報のいずれかを指し示すことを検出してもよい。
【００３６】
その他、特定部１２０は、上述した所定の領域のいずれかに関する認識が情報認識装置１００等にて実行されることへの期待を示す使用者の任意の動作を検出して、使用者に着目されている所定の領域を特定してもよい。また、特定部１２０は、上記説明した手法を組み合わせて、使用者に着目されている所定の領域を特定してもよい。
【００３７】
認識部１３０は、抽出部１１０にて抽出された少なくとも一つの所定の領域のうち、特定部１２０にて特定された所定の領域に含まれる情報を認識する。
【００３８】
所定の領域に看板等が含まれる場合、認識部１３０は、所定の領域に含まれる情報として、当該看板等に記載された文字を認識する。所定の領域に物体や人物が含まれる場合、認識部１３０は、所定の領域に含まれる情報として、所定の領域に含まれる物体や人物に関する認識を行ってもよい。認識部１３０は、所定の領域に含まれる情報として、情報認識装置１００等の使用者が必要とするその他の任意の対象を認識してもよい。
【００３９】
また、認識部１３０にて認識された結果は、ナビゲーションシステム１０が備える出力部１３等を介して適宜外部に出力される。この場合には、認識部１３０が看板等に記載された文字を認識する場合は、認識した文字情報が出力部１３等を介して適宜外部に出力される。また、認識部１３０が物体や人物を認識する場合は、例えば認識された物体や人物の名称等が文字情報として出力部１３等を介して適宜外部に出力される。
【００４０】
認識部１３０は、新たな画像に基づいて、当該所定の領域に含まれる情報を認識してもよい。この場合には、新たな画像は、例えばナビゲーションシステム１０が備える撮像部１１にて、当該所定の領域が主となるように撮像されることで得られる。このようにして得られた画像を用いることで、認識部１３０は、高い精度で当該所定の領域に含まれる情報を認識することが可能となる。
【００４１】
なお、認識部１３０は、先に抽出部１１０にて少なくとも一つの所定の領域を抽出する場合に用いられた画像を用いてもよい。この場合には、認識部１３０は、当該画像から特定部１２０にて特定された所定の領域を切出された画像を用いて、当該所定の領域に含まれる情報を認識してもよい。
【００４２】
いずれの場合においても、認識部１３０は、特定部１２０にて特定された所定の領域以外の領域に関する認識を行わなくてもよい。このようにすることで、認識部１３０にて必要とされる処理の量を少なくすることが可能となる。また、使用者は、例えば認識の候補となる看板等が多数存在する（すなわち、上述した任意の条件を満たすような領域が多い）場合でも、情報認識装置１００等を用いることで、当該使用者が所望する情報のみが認識されることが可能となる。
【００４３】
なお、抽出部１１０において所定の領域を抽出するための手法としては、対象に応じて、一般的に用いられている任意の文字認識等の手法が適宜用いられる。
【００４４】
図３（Ｃ）は、図３（Ａ）又は図３（Ｂ）に示す例に対して、抽出部１１０が認識を行った場合の例を示す。図３（Ｂ）に示す例では、所定の領域として２か所の領域が抽出部１１０にて抽出されている。そして、特定部１２０が、図３（Ｂ）に示す２か所の印のうちの右側を使用者が着目する領域として特定した場合を想定する。
【００４５】
この場合に、認識部１３０は、当該領域には「松山」との文字が書かれていると認識する。この結果は、ナビゲーションシステム１０が有する出力部１３にて文字情報として出力される。出力部１３は、例えばこの結果を点字で出力する。
【００４６】
続いて、図４を用いて、本発明の第１の実施形態における情報認識装置１００の動作について説明する。
【００４７】
最初に、抽出部１１０は、例えばナビゲーションシステム１０が有する撮像部１１等にて撮像された画像に含まれる所定の領域を抽出するように、画像を解析する（ステップＳ１０１）。
【００４８】
続いて、抽出部１１０は、ステップＳ１０１における画像の解析結果に基づいて、画像に少なくとも一つ所定の領域が含まれているかを判断する（ステップＳ１０２）。画像に所定の領域が含まれている場合には、抽出部１１０は、当該所定の領域を抽出する（ステップＳ１０３）。ステップＳ１０２において、画像に所定の領域が含まれていないと判断される（又は、画像に所定の領域が含まれていると判断できない）場合には、抽出部１１０は、ステップＳ１０１に戻って画像の解析を繰り返す。
【００４９】
続いて、特定部１２０は、使用者の動作に関する情報に基づいて、上述した所定の領域のうち使用者に着目されている領域があるか否かを判断する（ステップＳ１０４）。そして、特定部１２０は、使用者に着目されている領域があると判断した場合には、当該領域を使用者が着目している領域として特定する（ステップＳ１０５）。特定部１２０は、使用者に着目されている領域がないと判断した（又は、使用者に着目されている領域があると判断できない）場合には、情報認識装置１１０は、ステップＳ１０１に戻り、再度抽出部１１０における画像の解析の動作を行う。
【００５０】
そして、特定部１２０にて使用者が着目している領域が特定されると、認識部１３０は、当該領域に含まれる情報の認識を行う（ステップＳ１０６）。認識部１３０にて認識された結果は、上述のように、ナビゲーションシステム１０が有する出力部１３等を介して適宜使用者に対して出力される。
【００５１】
以上のとおり、本実施形態における情報認識装置１００は、画像から抽出された少なくとも一つの所定の領域のうち、使用者に着目されていると特定されている領域に含まれる情報を認識する。使用者が着目していない情報の認識が行われることは、使用者にとって価値がない場合がある。また、必ずしも必要としていない多数の情報が提示されることで、使用者が煩わしさを感じる可能性がある。これに対して、本実施形態における情報認識装置１００は、その使用者が必要としている情報のみを認識して使用者に提供することを可能とする。したがって、本実施形態における情報認識装置１００は、使用者が必要とする情報を明瞭に提示することができる。
【００５２】
また、本実施形態における情報認識装置１００は、上述した所定の領域のうち、使用者に着目されていると特定されない領域に含まれる情報の認識を行わなくともよい。すなわち、本実施形態における情報認識装置１００では、抽出部１１０にて用いられる画像の一部に対して認識部１３０にて認識が行われる。したがって、本実施形態における情報認識装置１００は、処理能力の低い情報処理装置等を用いて実現されることが可能となる。
【００５３】
（本実施形態における情報認識装置を有するナビゲーションシステムの例）
続いて、本実施形態における情報認識装置１００を有するナビゲーションシステム１０の例を説明する。
【００５４】
上述のように、ナビゲーションシステム１０は、情報認識装置１００と、撮像部１１と、検知部１２と、出力部１３とを有する。撮像部１１は、画像を撮像する。検知部１２は、使用者の動作を検知する。出力手段部は、情報認識装置が備える抽出部１１０にて抽出された少なくとも一つの所定の領域に関する情報と、情報認識装置１００が備える認識部１３０にて認識された情報とを少なくとも出力する。
【００５５】
撮像部１１は、ナビゲーションシステム１０の使用者の周囲の画像を撮像する。撮像部１１は、ＣＭＯＳ（Ｃｏｍｐｌｅｍｅｎｔａｒｙ  ｍｅｔａｌ−ｏｘｉｄｅ−ｓｅｍｉｃｏｎｄｕｃｔｏｒ）やＣＣＤ（Ｃｈａｒｇｅ  Ｃｏｕｐｌｅｄ  Ｄｅｖｉｃｅ）等の撮像素子を備えた任意のカメラにて実現される。
【００５６】
撮像部１１は、使用者の視線と同期して使用者が向く方向を撮像する構造、又は、撮像する方向を使用者の視線と同期する構造を有することが好ましい。一例として、撮像部１１は、使用者の頭部に装着される構成とされる。また、撮像部１１は、ズームやオートフォーカス等の機構、又は使用者の視線や使用者が向く方向と異なる方向へ視界を変更可能とする機構等を備えているが好ましい。撮像部１１がこれらの構造や機構を備えることで、情報認識装置１００において、使用者が必要とする情報を精度よく認識することが可能となる。
【００５７】
撮像部１１にて撮像された画像は、情報認識装置１００における各構成要素にて用いられる。
【００５８】
検知部１２は、ナビゲーションシステム１０の使用者の動作を検知する。検知部１２は、例えば、使用者の動きを検出する加速度センサ等の任意の種類のセンサや、使用者の視線を検出するセンサ等を用いて実現される。また、検知部１２は、撮像部１１にて撮像されている画像に基づいて使用者の動作を検知してもよい。例えば、撮像部１１にて撮像される画像の時間的な変化に基づいて、検知部１２は、使用者の動作を検知してもよい。
【００５９】
この他に、後述する出力部１３が例えばタッチパネル式の表示装置等であれば、そのタッチパネルが検知部１２として用いられてもよい。すなわち、検知部１２は、タッチパネルへの入力動作に基づいて、使用者の動作を検知してもよい。この場合には、例えば出力部１３が複数の文字を表示している場合に、検知部１２は、いずれの文字が指定されているかを検知する。
【００６０】
検知部１２にて検知された使用者の動作は、情報認識装置１００における特定部１２０にて、少なくとも一つの所定の領域から使用者に着目されている領域を特定する場合に用いられる。
【００６１】
なお、検知部１２として、複数のセンサ等が組み合わせて用いられてもよい。この場合には、検知部１２として、同一の種類のセンサが組み合わせて用いられてもよいし、上述した異なる種類のセンサ等が組み合わせて用いられてもよい。情報認識装置１００における特定部１２０は、検知部１２として用いられる複数のセンサ等にて検知された使用者の動作に基づいて、使用者に着目されている所定の領域を特定する。
【００６２】
出力部１３は、情報認識装置１００が備える抽出部１１０にて抽出された所定の領域に関する情報と、情報認識装置１００が備える認識部１３０にて認識された情報等を出力する。すなわち、出力部１３は、図３（Ａ）から図３（Ｃ）の各々に示されているような形式にて、上述した情報等を出力する。
【００６３】
出力部１３としては、例えば、点字を表示できるような任意の装置が用いられる。出力部１３は、視覚障害の程度によっては、一般的な液晶ディスプレイ等のディスプレイで実現されてもよい。また、出力部１３は、音声を発する構成を備えてもよい。すなわち、出力部１３は、所定の領域に関する情報や、使用者が着目する領域に含まれる情報を音声にて出力してもよい。出力部１３は、使用者の視覚その他の状態に応じて、適切な装置が用いられる。
【００６４】
なお、ナビゲーションシステム１０においては、情報認識装置１００は、例えばスマートフォンやタブレット等をはじめとする携帯端末にて実現される。この場合には、情報認識装置１００は、これらの携帯端末に備えられているＣＰＵにて実行されるアプリケーションとして実現されてもよい。また、当該携帯端末に備えられているディスプレイやスピーカーが出力部１３として用いられる。そして、当該携帯端末に備えられている加速度センサ等が検知部１２として用いられる。
【００６５】
また、情報認識装置１００は、使用者が携帯可能な大きさである専用の端末装置等として実現されてもよい。
【００６６】
以上のように、本実施形態におけるナビゲーションシステム１０は、情報認識装置１００を備える。したがって、ナビゲーションシステム１０は、情報認識装置１０と同様に、利用者が必要とする情報を明瞭に提示することができる。
【００６７】
（第１の実施形態の変形例）
本実施形態における情報認識装置１００やナビゲーションシステム１０には、種々の変形例が考えられる。
【００６８】
本実施形態において、認識部１３０にて行われる所定の領域に含まれる情報の認識は、情報認識装置１００の外部に設けられているサーバ等で実行されてもよい。この場合には、情報認識装置１００は、図５に示すように、外部の装置との通信を行う通信部１４０を備えてもよい。通信部１４０は、外部の装置にて処理が実行される場合に、所定の必要となる情報の送受信を行う。通信部１４０は、例えば使用者が任意の場所にて情報認識装置１００等を利用できるよう、無線にて情報の送受信を行う。
【００６９】
この変形例において、認識部１３０は、通信部１４０を介して所定の領域に含まれる情報を上述したサーバ等に送信し、かつ、上述したサーバ等にて実行された認識の結果を、通信部１４０を介して受信する。そして、認識部１３０は、当該受信した認識の結果を外部へ適宜出力する。
【００７０】
また、通信部１４０に代えて、又は通信部１４０と共に、ナビゲーションシステム１０が通信部１４０に相当する構成を備えてもよい。
【００７１】
このような構成とすることで、情報認識装置１００の認識部１３０等にて行われる処理を削減することが可能となる。その結果、情報認識装置１００に対して要求される性能を低くすることが可能となる。
【００７２】
なお、本変形例においては、抽出部１１０又は特定部１２０にて行われる処理が、外部のサーバ等で実行されてもよい。この場合には、通信部１４０は、これらの処理にて必要となる情報の送受信を行う。
【００７３】
（第２の実施形態）
次に、本発明の第２の実施形態について説明する。図６は、本発明の第２の実施形態における情報認識装置の構成を示す図である。
【００７４】
図６に示すように、本発明の第２の実施形態における情報認識装置２００は、抽出部１１０と、特定部１２０と、認識部１３０と、調整部１５０とを備える。抽出部１１０、特定部１２０及び認識部１３０は、それぞれ本発明の第１の実施形態における情報認識装置１００に含まれる要素と同様の構成を備える。調整部１５０は、特定部１２０にて特定された所定の領域について、画像に関する調整を行う。
【００７５】
また、本発明の第１の実施形態と同様にして、本実施形態における情報認識装置２００を用いるナビゲーションシステム１０が構成される。
【００７６】
調整部１５０は、特定部１２０にて特定された所定の領域について、認識部１３０における認識の精度が高まるように当該領域の画像に関する調整を行う。すなわち、調整部１５０は、認識の対象である所定の領域が明確になった画像を得るように画像に関する調整を行う。
【００７７】
調整部１５０は、一例として、ナビゲーションシステム１０が備える撮像部１１の動作を制御する。すなわち、調整部１５０は、特定部１２０にて特定された所定の領域を撮影するように、撮像部１１を制御する。例えば、調整部１５０は、所定の領域が明確に撮像されるように撮像部１１のレンズをズームするよう制御する。また、調整部１５０は、所定の領域に対してピントが合うように撮像部１１のフォーカスを制御する。この場合には、認識部１３０は、調整部１５０にて撮像部１１が調整された後に新たに撮像された画像を用いて、所定の領域に含まれる情報を認識する。調整部１５０がこのような制御を行うことで、撮像部１１にて性能の高い撮像素子やレンズ等が用いられていない場合であっても、認識部１３０は、高い精度で所定の領域に含まれる情報の認識を行うことが可能となる。
【００７８】
また、調整部１５０は、認識部１３０にて認識が容易に行われるように、特定部１２０にて特定された所定の領域に関する画像処理を行ってもよい。例えば、調整部１５０は、文字や物体等の当該所定の領域の内容に応じて、その内容を明確にするような任意の画像処理を実行する。調整部１５０がこのような処理を行うことで、撮像部１１がズーム等の複雑な機構を備えていない場合であっても、認識部１３０は、高い精度で所定の領域に含まれる情報の認識を行うことが可能となる。
【００７９】
なお、調整部１５０は、ナビゲーションシステム１０が備える撮像部１１にて新たに撮像された画像に関して画像処理を行ってもよいし、抽出部１１０にて用いられた画像に対して画像処理を行ってもよい。いずれの場合においても、このようにすることで、認識部１３０は、認識の対象となる所定の領域が明確に表された画像を用いて、認識を行うことが可能となる。
【００８０】
以上のように、本発明の第２の実施形態における情報認識装置２００は、調整部１５０を備える。調整部１５０は、ナビゲーションシステム１０が備える撮像部１１の動作を制御する等を行って、特定部１２０にて特定された所定の領域について、画像に関する調整を行う。このようにすることで、認識部１３０は、認識の対象である所定の領域が明確になった画像を用いて、当該所定の領域に含まれる情報の認識を行う。したがって、本実施形態における情報認識装置２００は、当該所定の領域に含まれる情報を高い精度で認識することができる。また、本実施形態における情報認識装置２００を有するナビゲーションシステム１０は、本実施形態における情報認識装置２００と同様の効果を奏する。
【００８１】
なお、本発明の第１の実施形態における情報認識装置１００の変形例は、本実施形態における情報認識装置２００においても適宜組み合わせて用いられる。
【００８２】
以上、実施形態を参照して本発明を説明したが、本発明は上記実施形態に限定されるものではない。本発明の構成や詳細には、本発明のスコープ内で当業者が理解し得る様々な変更をすることができる。また、各実施形態における構成は、本発明のスコープを逸脱しない限りにおいて、互いに組み合わせることが可能である。
【符号の説明】
【００８３】
１０    ナビゲーションシステム
１１    撮像部
１２    検知部
１３    出力部
１００、２００    情報認識装置
１１０    抽出部
１２０    特定部
１３０    認識部
１４０    通信部
１５０    調整部
５００    情報処理装置
５０１    ＣＰＵ
５０２    ＲＯＭ
５０３    ＲＡＭ
５０４    プログラム
５０５    記憶装置
５０６    記録媒体
５０７    ドライブ装置
５０８    通信インターフェース
５０９    ネットワーク
５１０    入出力インターフェース
５１１    バス
【図１】
2016184089.tif 000003
【図２】
2016184089.tif 000004
【図３】
2016184089.tif 000005
【図４】
2016184089.tif 000006
【図５】
2016184089.tif 000007
【図６】
2016184089.tif 000008
【図７】
2016184089.tif 000009